(57)【要約】【課題】低コストで、シンプルに調整可能であり、ビームスポット小径化、ビームスポット位置ずれ低減が可能な光走査装置を提供する。【解決手段】カップリング光学系からの光束を少なくとも副走査方向に集光するアナモフィック光学素子としてのシリンドリカルレンズ５は中間的な部材３２を介して光走査装置のハウジング３３に装着される。シリンドリカルレンズ５は、中間的な部材３２に長手方向の一端部を片持ち方式で固定され、中間的な部材３２に対して、固定される前の状態において、副走査方向（矢印Ｄ１方向）の配置調整、光軸に平行な軸回り（矢印Ｄ２方向）の偏心調整が可能である。中間的な部材３２は、ハウジング３３に対して、固定される前の状態において、光軸方向の配置調整、主走査方向（矢印Ｄ３方向）の配置調整、副走査方向に平行な軸回り（矢印Ｄ４方向）の偏心調整が可能である。【選択図】図８
2007171626.tif 000002
【特許請求の範囲】
【請求項１】
光源と、
前記光源からのビームをカップリングするカップリング光学系と、
前記カップリング光学系からの光束を少なくとも副走査方向に集光するアナモフィック光学素子と、
複数の段の多面の反射鏡を有し、異なる段の多面の反射鏡は互いに回転方向の角度がずれており、共通の回転軸を有する偏向手段と、
共通の光源からのビームを分割し、前記異なる段の反射鏡に分割されたビームを入射させる光束分割手段と、
前記偏向手段により走査されたビームを被走査面に導く走査光学系と、
前記光源及び前記偏向手段を保持するハウジングと、
を有し、前記共通の光源から分割したビームが異なる被走査面を走査するように
した光走査装置において、
前記アナモフィック光学素子の少なくとも１つが中間的な部材を介して前記ハウジングに装着され、且つ、調整可能となっていることを特徴とする光走査装置。
【請求項２】
請求項１に記載の光走査装置において、
前記中間的な部材が前記ハウジングに対して調整可能であり、前記アナモフィック光学素子が前記中間的な部材に対して調整可能となっており、且つ、前記ハウジングに対して前記中間的な部材が調整可能な方向の少なくとも１つと、前記中間的な部材に対して前記アナモフィック光学素子の調整可能な方向の少なくとも１つが異なることを特徴とする光走査装置。
【請求項３】
請求項１又は２に記載の光走査装置において、以下の条件を満たすことを特徴とする光走査装置。
（１）前記アナモフィック光学素子の外形形状は副走査方向よりも主走査方向が長い。
（２）前記中間的な部材が装着されるハウジングの受け面は主走査方向に略垂直である。
（３）前記アナモフィック光学素子は、主走査方向の周辺において、中間的な部材に装着される。
【請求項４】
請求項３に記載の光走査装置において、
前記中間的な部材は、前記アナモフィック光学素子の副走査方向の略中央に装着されることを特徴とする光走査装置。
【請求項５】
請求項１又は２に記載の光走査装置において、
前記中間的な部材は複数あり、前記アナモフィック光学素子を通過する光ビームを挟んで互いに逆側に配備されることを特徴とする光走査装置。
【請求項６】
請求項５に記載の光走査装置において、
前記中間的な部材は、前記アナモフィック光学素子の主走査方向と副走査方向のうち外形形状の寸法が長い方の方向に配列されることを特徴とする光走査装置。
【請求項７】
請求項１乃至６のうちのいずれかに記載の光走査装置において、
前記中間的な部材は互いに直交する２つの平面部を有することを特徴とする光走査装置。
【請求項８】
請求項１乃至７のうちのいずれかに記載の光走査装置において、
前記中間的な部材は接着剤を介して前記ハウジングに固定され、前記アナモフィック光学素子は接着剤を介して前記中間的な部材に固定されることを特徴とする光走査装置。
【請求項９】
請求項８に記載の光走査装置において、
前記中間的な部材は接着剤を介して前記ハウジングに固定され、且つ、前記中間的な部材は透明であり、前記接着剤は紫外線硬化樹脂であることを特徴とする光走査装置。
【請求項１０】
光源と、
前記光源からのビームをカップリングするカップリング光学系と、
前記カップリング光学系からの光束を少なくとも副走査方向に集光するアナモフィク光学素子と、
複数の段の多面の反射鏡を有し、異なる段の多面の反射鏡は互いに回転方向の角度がずれており、共通の回転軸を有する偏向手段と、
共通の光源からのビームを分割し、前記異なる段の反射鏡に分割されたビームを入射させる光束分割手段と、
前記偏向手段により走査されたビームを被走査面に導く走査光学系と、
前記光源及び前記偏向手段を保持するハウジングと、
を有し、前記共通の光源から分割したビームが異なる被走査面を走査するように
した光走査装置において、
前記アナモフィック光学素子の少なくとも１つが光軸に平行な軸を中心とし、回転調整可能であることを特徴とする光走査装置。
【請求項１１】
請求項１乃至１０のうちのいずれかに記載の光走査装置において、
同一の被走査面を複数のビームが走査することを特徴とする光走査装置。
【請求項１２】
請求項１乃至１１のうちのいずれかに記載の光走査装置を用いた画像形成装置。
【発明の詳細な説明】
【技術分野】
【０００１】
本発明は、光走査を行う光走査装置、該光走査装置を有する複写機、プリンタ、ファクシミリ、プロッタ等の画像形成装置に関する。
【背景技術】
【０００２】
レーザプリンタ、デジタル複写機、普通紙ファックス等で用いられる電子写真画像形成装置において、カラー化、高速化が進み、感光体を複数（通常は４つ）有するタンデム対応の画像形成装置が普及してきている。
カラーの電子写真画像形成装置としては、感光体を１つのみ有し、色の数だけ感光体を回転するという方式もあるが生産性に劣る。すなわち、４色、１ドラムタイプの場合、感光体が４回転する必要がある。
ところが、タンデム方式の場合、どうしても光源数が増えてしまい、それに伴い、部品点数の増加、複数光源間の波長差に起因する色ずれ、コストアップが生じてしまう。また、書込ユニットの故障の原因として半導体レーザの劣化が挙げられている。光源数が多くなると、故障の確率が増え、寿命が低下する。
【０００３】
そこで、光源数を減らしながらも、高速な画像出力を可能にする光束分割素子を用いた光走査装置が提案されている。この光走査装置では、部品点数の低減、低コスト化が実現できるとともに、ユニット全体の故障率が減少し、長寿命化を図れるというメリットがある。
レーザプリンタの高画質化、高密度化に伴い、光走査装置のビームスポット小径化、ビームスポット位置ずれ低減、低コスト化の要求が高まってきている。
そのためには、各光学部品を高精度に加工するとともに、ハウジングに高精度に配置するという手があるが、各光学部品がコストアップする。また、どんなに高精度に光学部品を加工しても、得られる光学特性には限界がある。
特許文献１には、光学部品を位置調整することにより配置精度を高める提案がなされている。具体的には、偏向器前に配備される光学素子が第２の保持具に保持され、第１の保持具に第２の保持具が装着されており、第１の保持具に対し、第２の保持具が光軸方向に調整可能となっており、第２の保持具に対し光学素子が光軸方向に調整可能となっている。
【０００４】
【特許文献１】特開２００２−３６５５７０号公報
【発明の開示】
【発明が解決しようとする課題】
【０００５】
しかしながら、特許文献１に記載された方式では、光軸方向の調整にしか対応できないので、ビームウエスト位置調整にしか対応できないという問題があった。
【０００６】
本発明は、低コストで、シンプルに調整可能であり、ビームスポット小径化、ビームスポット位置ずれ低減が可能な光走査装置、該光走査装置を有し高画質化に対応でできる画像形成装置の提供を、その目的とする。
【課題を解決するための手段】
【０００７】
上記目的を達成するために、請求項１記載の発明では、光源と、前記光源からのビームをカップリングするカップリング光学系と、前記カップリング光学系からの光束を少なくとも副走査方向に集光するアナモフィック光学素子と、複数の段の多面の反射鏡を有し、異なる段の多面の反射鏡は互いに回転方向の角度がずれており、共通の回転軸を有する偏向手段と、共通の光源からのビームを分割し、前記異なる段の反射鏡に分割されたビームを入射させる光束分割手段と、前記偏向手段により走査されたビームを被走査面に導く走査光学系と、前記光源及び前記偏向手段を保持するハウジングと、を有し、前記共通の光源から分割したビームが異なる被走査面を走査するようにした光走査装置において、前記アナモフィック光学素子の少なくとも１つが中間的な部材を介して前記ハウジングに装着され、且つ、調整可能となっていることを特徴とする。
【０００８】
請求項２に記載の発明では、請求項１に記載の光走査装置において、前記中間的な部材が前記ハウジングに対して調整可能であり、前記アナモフィック光学素子が前記中間的な部材に対して調整可能となっており、且つ、前記ハウジングに対して前記中間的な部材が調整可能な方向の少なくとも１つと、前記中間的な部材に対して前記アナモフィック光学素子の調整可能な方向の少なくとも１つが異なることを特徴とする。
請求項３に記載の発明では、請求項１又は２に記載の光走査装置において、以下の条件を満たすことを特徴とする。
（１）前記アナモフィック光学素子の外形形状は副走査方向よりも主走査方向が長い。
（２）前記中間的な部材が装着されるハウジングの受け面は主走査方向に略垂直である。
（３）前記アナモフィック光学素子は、主走査方向の周辺において、中間的な部材に装着される。
【０００９】
請求項４に記載の発明では、請求項３に記載の光走査装置において、前記中間的な部材は、前記アナモフィック光学素子の副走査方向の略中央に装着されることを特徴とする。
請求項５に記載の発明では、請求項１又は２に記載の光走査装置において、前記中間的な部材は複数あり、前記アナモフィック光学素子を通過する光ビームを挟んで互いに逆側に配備されることを特徴とする。
請求項６に記載の発明では、請求項５に記載の光走査装置において、前記中間的な部材は、前記アナモフィック光学素子の主走査方向と副走査方向のうち外形形状の寸法が長い方の方向に配列されることを特徴とする。
【００１０】
請求項７に記載の発明では、請求項１乃至６のうちのいずれかに記載の光走査装置において、前記中間的な部材は互いに直交する２つの平面部を有することを特徴とする。
請求項８に記載の発明では、請求項１乃至７のうちのいずれかに記載の光走査装置において、前記中間的な部材は接着剤を介して前記ハウジングに固定され、前記アナモフィック光学素子は接着剤を介して前記中間的な部材に固定されることを特徴とする。
請求項９に記載の発明では、請求項８に記載の光走査装置において、前記中間的な部材は接着剤を介して前記ハウジングに固定され、且つ、前記中間的な部材は透明であり、前記接着剤は紫外線硬化樹脂であることを特徴とする。
【００１１】
請求項１０に記載の発明では、光源と、前記光源からのビームをカップリングするカップリング光学系と、前記カップリング光学系からの光束を少なくとも副走査方向に集光するアナモフィク光学素子と、複数の段の多面の反射鏡を有し、異なる段の多面の反射鏡は互いに回転方向の角度がずれており、共通の回転軸を有する偏向手段と、共通の光源からのビームを分割し、前記異なる段の反射鏡に分割されたビームを入射させる光束分割手段と、  前記偏向手段により走査されたビームを被走査面に導く走査光学系と、  前記光源及び前記偏向手段を保持するハウジングと、を有し、前記共通の光源から分割したビームが異なる被走査面を走査するようにした光走査装置において、  前記アナモフィック光学素子の少なくとも１つが光軸に平行な軸を中心とし、回転調整可能であることを特徴とする。
【００１２】
請求項１１に記載の発明では、請求項１乃至１０のうちのいずれかに記載の光走査装置において、同一の被走査面を複数のビームが走査することを特徴とする。
請求項１２に記載の発明では、画像形成装置において、請求項１乃至１１のうちのいずれかに記載の光走査装置を用いたことを特徴とする。
【発明の効果】
【００１３】
請求項１、２又は１１に記載の発明によれば、ビームスポット小径化、ビームスポット位置ずれが低減でき、なおかつ、光学素子の部品公差を緩和でき、低コスト化にも寄与できる。また、光学部品の共通化が可能となり、リサイクルが容易となる（環境対応）。
請求項３又は４に記載の発明によれば、温度変動の影響を受け難く、光学特性確保が容易になる。
請求項５又は６に記載の発明によれば、光学素子の姿勢変化が小さくなり、良好な光学特性が得られる。
請求項７に記載の発明によれば、２方向の移動調整が可能となり、光学特性確保が容易になる。
請求項８又は９に記載の発明によれば、簡単かつ低コストな構成での調整が容易になる。
請求項１０に記載の発明によれば、ビームウエスト径太りが低減でき、ビームスポット小径化が実現できる。
請求項１２に記載の発明によれば、高画質対応の画像形成装置を提供できる。
【発明を実施するための最良の形態】
【００１４】
以下、本発明の第１の実施形態を図１乃至図１０に基づいて説明する。
まず、図１に基づいて本実施形態における光走査装置２０の構成及び機能の概要を説明する。図１において、符号１、１’は光源としての半導体レーザを、２は半導体レーザの支持ベース（ＬＤベース）を、３、３’はカップリングレンズを、４は光束分割手段としてのハーフミラープリズムを、５ａ、５ｂはアナモフィック光学素子としてのシリンドリカルレンズを、６は防音ガラスを、７は、多面反射鏡としての上段ポリゴンミラー７ａと、同じく多面反射鏡としての下段ポリゴンミラー７ｂからなる偏向手段を、８ａ、８ｂは走査光学系の走査レンズ１を、９は走査光学系のミラーを、１０ａ、１０ｂは走査光学系の走査レンズ２を、１２Ｋ、１２Ｃは被走査面としての感光体を、２５は開口絞り（アパーチャ）をそれぞれ示している。
半導体レーザ１、１’、支持ベース２及びカップリングレンズ３、３’は一体に組み付けられており、１つの光源ユニットを構成している。
【００１５】
半導体レーザ１、１’から出射した発散光束は、カップリングレンズ３、３’により、収束光束、又は平行光束、又は発散光束に変換される。カップリングレンズ３、３’を出たビームは被走査面上でのビーム径を安定させるための開口絞り２５を通過し、ハーフミラープリズム４に入射する。ハーフミラープリズム４に入射した共通の光源からのビームは、図２に示すように上下段に分割され、ハーフミラープリズム４を出射するビームは２本のビームとなる。
符号４ａはハーフミラーを示し、透過光と反射光を１：１の割合で分離する。また、符号４ｂは全反射面を示し、方向を変換する機能を有する。ここでは、ハーフミラープリズムを用いているが、単体のハーフミラーと通常のミラーを用いて同様の系を構成しても良い。また、ハーフミラーの分離の割合は１：１である必要なく、他の光学系の条件に合わせて設定してももちろんかまわない。
【００１６】
ハーフミラープリズム４を出射したビームは上下段それぞれに配備されるシリンドリカルレンズ５ａ、５ｂにより、偏向反射面の近傍にて主走査方向に長い線像に変換される。
偏向手段７は上下段にそれぞれポリゴンミラー７ａ、７ｂが配置され、互いに回転方向の角度が（φ）だけずれている。ここでは４面のポリゴンミラーをφ＝４５ｄｅｇずらしている。なお、上下段のポリゴンミラーは一体的に形成されても良いし、別体として組み付けても良い。
図３（ａ）に示すように、共通の光源からの上段のビームＢ１が感光体面（被走査面）を走査しているときは下段のビームＢ２は被走査面上にビームが到達しないようにし、望ましくは遮光部材１３により遮光するようにする。
また、図３（ｂ）に示すように、共通の光源からの下段のビームＢ２が上段とは異なる感光体面（被走査面）を走査しているときは上段のビームＢ１は被走査面に到達しないようにする。
【００１７】
さらに、変調駆動のほうも上段と下段でタイミングをずらし、上段に対応する感光体を走査するときは、上段に対応する色（例えばブラック）の画像情報に基づき、光源の変調駆動を行い、下段に対応する感光体を走査するときは下段に対応する色（例えばマゼンダ）の画像情報に基づき、光源の変調駆動を行う。
図４は、共通の光源によりブラックとマゼンダの露光を行い、且つ、有効走査領域において、それぞれ、全点灯する場合のタイムチャートである。実線がブラックに相当する部分、点線がマゼンダに相当する部分を示す。ブラック、マゼンダにおける、書き出しのタイミングは、有効走査幅外に配備される同期受光手段で走査ビームを検知することにより決定される。なお、同期受光手段は図示されていないが、通常はフォトダイオードが用いられる。
図４ではブラックとマゼンダの領域での光量を同じに設定しているが、実際には光学素子の透過率、反射率が相対的に違うため、光源の光量を同じにしてしまうと、感光体に到達するビームの光量が異なってしまう。そこで、図５に示すように、異なる感光体面を走査するときに互いの設定光量を異ならせることにより、異なる感光体面上に到達するビーム光量を等しくできる。
【００１８】
なお、本実施形態では１つの感光体を走査するビームは２ビームとしているが、１つの感光体を走査するビームは１ビームとしても良い。また、図１では２つの感光体に対応する構成のみ開示しているが、ポリゴンミラー７を挟んで、図示された光学系と同様の光学系を配備することにより、４つの感光体を走査することができる。
カラー化に際して、通常、感光体は４つ有し、光源は４つ以上となる。光束分割方式により、１つの光源で２つのビームを得ることができることから、図６に示すような、４つの光源を持つ対向走査型マルチビーム走査光学系において、光源数を減らすことができる。図６において、符号１ａ１、１ａ２、１ｂ１、１ｂ２は光源を示している。
【００１９】
図１に示した複数光源１、１’から出射した複数ビームは異なる２つの感光体にそれぞれ、１度の走査で２つの走査線を形成する。このとき、画素密度に応じて、走査線の副走査方向のピッチを調整する必要がある。ピッチ調整の方法としてよく用いられる方法としては、光源ユニット（１、１’、２、３、３’を１つのユニットとする）を主走査方向及び副走査方向に垂直な軸を中心に回転させる方法があるが、この場合、ある感光体においては、所望のピッチとすることができるが、もう一方の感光体については光束分割素子（光束分割手段）以降の光学素子の形状誤差、取り付け誤差等によりピッチ誤差が生じる。
この不具合を解決するためには、光束分割素子４と偏向手段７の間に副走査方向のピッチを調整する手段を配備する必要がある。
【００２０】
また、シリンドリカルレンズ５はアナモフィック光学素子であるので、光軸に平行な軸回りの偏心誤差、副走査方向の配置誤差、主走査方向に平行な軸回りの偏心によりビームウエスト径太りが発生する。また、副走査方向のビームウエスト位置調整のためには光軸方向の調整が必要である。
従って、
（１）光軸に平行な軸回りの偏心調整
（２）副走査方向の配置調整
（３）主走査方向に平行な軸回りの偏心調整
（４）光軸方向の調整
が同時にできれば、ビームスポット小径化、ビームスポット位置ずれが低減でき、且つ、光学素子の部品公差を緩和でき、低コスト化にも寄与できる。
【００２１】
その一例を図７及び図８に示す。シリンドリカルレンズ５は中間的な部材３２を介して光走査装置のハウジング３３に装着される。中間的な部材３２は三角柱の形状を有し、シリンドリカルレンズ５に当接する平面部３２ａと、該平面部３２ａに直交し、ハウジング３３に当接する平面部３２ｂを有している。
シリンドリカルレンズ５は、中間的な部材３２に長手方向の一端部を片持ち方式で固定されるが、中間的な部材３２の平面部３２ａに対して、固定される前の状態において、副走査方向（矢印Ｄ１方向）の配置調整、光軸に平行な軸回り（矢印Ｄ２方向）の偏心調整が可能である。
【００２２】
換言すれば、中間的な部材３２は、シリンドリカルレンズ５の光軸に垂直な平面である平面部３２ａを有しており、これにより、シリンドリカルレンズ５の光軸回りの偏心方向の調整及び光軸と垂直な方向の調整が可能となる。
図２２に示すように、中間的な部材３２は、ハウジング３３の固定用凸部３４の上面に対して、固定される前の状態において、光軸方向の配置調整、主走査方向（矢印Ｄ３方向）の配置調整、副走査方向に平行な軸回り（矢印Ｄ４方向）の偏心調整が可能である。中間的な部材３２は透明な材料（例えばプラスチック材料）で形成されている。
【００２３】
したがって、中間的な部材３２に対してシリンドリカルレンズ５の調整可能な方向は２つ以上あり、ハウジング３３に対して中間的な部材３２の調整可能な方向は２つ以上ある。
また、ハウジング３３に対して中間的な部材３２が調整可能な方向の少なくとも１つと、中間的な部材３２に対してシリンドリカルレンズ５の調整可能な方向の少なくとも１つが異なっている。
このような支持構成とすることで、複数の光学特性（ビームウエスト径太り、ビームウエスト位置ずれ低減、ビームスポット位置ずれ低減）を同時に確保でき、且つ、シリンドリカルレンズ５を光軸に平行な回りに偏心調整可能とすることで、副走査方向の走査線間隔を最適に設定できる。
図８において、符号３６、３７は接着剤の塗布面（固定面又は固着面）を示す。
【００２４】
実際の調整方法を、図８に基づいて説明する。シリンドリカルレンズ５を図示しない治具で保持しておき、調整すべき方向（ここでは光軸方向位置、光軸に平行な軸回りの偏心、副走査方向の位置）にシリンドリカルレンズ５を移動する。
その後、紫外線硬化樹脂を塗布面３６に塗布した中間的な部材３２をシリンドリカルレンズ５の平面部５ａ及び紫外線硬化樹脂を塗布面３７に塗布したハウジング３３の該塗布面３７に押し当て（仮固定）、紫外線を照射してシリンドリカルレンズ５及び中間的な部材３２を固定する。
中間的な部材３２は透明材料で形成されているので、紫外線照射の自由度が大きく容易であり、固定が迅速且つむら無く行える。
【００２５】
上記例では、１つの中間的な部材３２に対してシリンドリカルレンズ５を片持ち方式で固定する構成としたが、複数の中間的な部材３２に対してシリンドリカルレンズ５を固定してもよい。この例を図９及び図１０に示す。
図９に示すように、シリンドリカルレンズ５を通過する光ビームを挟んで互いに逆側に位置するように、換言すれば、シリンドリカルレンズ５の主走査方向と副走査方向のうち外形形状の寸法が長い方の方向（ここでは副走査方向）に間隔をおいて２つの中間的な部材３２が配置されており、各々の平面部３２ａにシリンドリカルレンズ５の各端部が固定されている。
一方の中間的な部材３２はハウジング３３の凸部３４の上面に固定され、他方の中間的な部材３２は凸部３５の上面に固定される。
固定は、上記例と同様に、シリンドリカルレンズ５を位置決めした後、中間的な部材３２を当接させて紫外線を照射する。
このような固定（支持）構成とすることにより、例えば、ハウジング３３と中間的な部材（ここでは合成樹脂）３２の線膨張係数が異なるとき、温度上昇が発生しても光軸に対して光学素子（シリンドリカルレンズ５）の対称部位に応力が発生するので、温度変動による光学素子の姿勢変化は小さくなる。
また、シリンドリカルレンズ５の主走査方向と副走査方向のうち外形形状の寸法が長い方の方向に間隔をおいて２つの中間的な部材３２を配置する構成をとることにより、配置誤差に対する許容度が向上し、偏心誤差を低減できる。
【００２６】
図１１及び図１２に基づいて第２の実施形態を説明する。なお、上記実施形態と同一部分は同一符号で示し、特に必要がない限り既にした構成上及び機能上の説明は省略して要部のみ説明する。
図１１に示すように、ハウジング３３に対して中間的な部材３２を副走査方向に平行な軸回りの偏心調整が可能に固定する方式とした場合、ハウジング３３と中間的な部材３２の線膨張係数が異なるとき、温度上昇によって、矢印３５方向に光学素子５が光軸方向で偏心する。
この不具合を解消すべく、本実施形態では、図１２に示すように、ハウジング３３に対して中間的な部材３２を主走査方向に平行な軸回りの偏心調整が可能に固定する方式としている。すなわち、中間的な部材３２はハウジング３３の垂直部３３ａに対して固定される。中間的な部材３２が装着されるハウジング３３の受け面は主走査方向に略垂直である。
この構成において、中間的な部材３２と光学素子５の装着を副走査方向の中央で装着することにより、矢印３６に示すように、中間的な部材３２が温度上昇により変形しても光学素子５は主走査方向に変動するが、光軸回転方向には偏心しない。
【００２７】
図１３に基づいて、上述した光走査装置（対向走査型）を用いたタンデム型の多色画像形成装置を説明する（第３の実施形態）。
多色画像形成装置は、転写ベルト１１の移動方向に沿って並置された４つの感光体１２Ｙ、１２Ｃ、１２Ｍ、１２Ｋを有している。イエロー画像形成用の感光体１２Ｙの周りには、その矢印で示す回転方向において順に、帯電器１３Ｙ、現像器１４Ｙ、転写手段１５Ｙ、クリーニング手段１６Ｙが配置されている。他の色についても同様の構成を有しており、色別の欧文字（Ｃ：シアン、Ｍ：マゼンダ、Ｋ：ブラック）を付して区別し、説明は省略する。
帯電器１３は、感光体表面を均一に帯電するための帯電装置を構成する帯電部材である。帯電器１３と現像器１４の間において感光体表面に光走査装置２０によりビームが照射され、感光体１２に静電潜像が形成されるようになっている。
そして、静電潜像に基づき、現像器１４により感光体面上にトナー像が形成される。転写手段１５により、転写ベルト１１で搬送される記録媒体（転写紙）に各色の転写トナー像が順次転写され、最終的に定着手段１７により重ね合わせ画像が転写紙に定着される。
ここでは、走査光学系が複数あるタンデム対応の画像形成装置を示しているが、走査光学系が１つしかない光走査装置にも適用できるのは言うまでもない。
【図面の簡単な説明】
【００２８】
【図１】本発明の第１の実施形態における光走査装置の斜視図である。
【図２】光束分割手段の機能を示す図である。
【図３】共通の光源からの複数のビームの一方を遮光することを示す模式図である。
【図４】共通の光源により露光する方式のタイムチャートで、全点灯する場合の図である。
【図５】共通の光源により露光する方式のタイムチャートで、被走査面ごとに設定光量を切り替えた状態を示す図である。
【図６】対向走査型マルチビーム方式のビーム経路を示す概要平面図である。
【図７】シリンドリカルレンズと中間的な部材との固定状態を示す斜視図である。
【図８】ハウジングに対する中間的な部材の固定状態を示す斜視図である。
【図９】他の例におけるシリンドリカルレンズと中間的な部材との固定状態を示す斜視図である。
【図１０】図９の例における、ハウジングに対する中間的な部材の固定状態を示す斜視図である。
【図１１】第１の実施形態における、ハウジングに対する中間的な部材の固定方式に係る懸念を示す図である。
【図１２】第２の実施形態におけるハウジングに対する中間的な部材の固定状態を示す斜視図である。
【図１３】第３の実施形態を示す図で、タンデム型の画像形成装置の概要構成図である。
【符号の説明】
【００２９】
１、１’  光源としての半導体レーザ
４  光束分割手段としてのハーフミラープリズム
５  アナモフィック光学素子としてのシリンドリカルレンズ
７  偏向手段
７ａ、７ｂ  多面反射鏡
８  走査光学系としての走査レンズ１
９  走査光学系としてのミラー
１０  走査光学系としての走査レンズ２
１８  光量補正手段又はビームスポット位置補正手段としての書込制御部
２０  光走査装置
３２  中間的な部材
３３  ハウジング
【図１】
2007171626.tif 000003
【図２】
2007171626.tif 000004
【図３】
2007171626.tif 000005
【図４】
2007171626.tif 000006
【図５】
2007171626.tif 000007
【図６】
2007171626.tif 000008
【図７】
2007171626.tif 000009
【図８】
2007171626.tif 000010
【図９】
2007171626.tif 000011
【図１０】
2007171626.tif 000012
【図１１】
2007171626.tif 000013
【図１２】
2007171626.tif 000014
【図１３】
2007171626.tif 000015